(57)【要約】【課題】原稿を斜行させることなくサイズ混載原稿の画像を読取る。【解決手段】原稿ガイド切換手段２６を介して、第１の原稿ガイド手段２４ａと第２の原稿ガイド手段２４ｂとを左右独立で可動できるようにすることで、原稿中央部に給紙ローラ４が位置するよう原稿ガイド手段２４ａ，２４ｂを位置調整する。【選択図】  図２
2004155528.tif 000002
【特許請求の範囲】
【請求項１】
大きさの異なる原稿を混在させて一度に積載するトレイと、
前記トレイに積載された原稿を給紙する給紙ローラと、
前記給紙ローラにより給紙される原稿を読取る読取手段と、
給紙方向に対して直角な方向において揃えられた原稿の端部をガイドする前記トレイに移動可能に設けられた第１の原稿ガイド手段と、
前記第１の原稿ガイド手段とは独立して移動するとともに、大きさの異なる原稿のうちの一番大きい原稿の前記端部とは反対側の端部をガイドする前記トレイに移動可能に設けられた第２の原稿ガイド手段とを備え、
前記原稿を読取る際に、該原稿のうち一番小さい原稿の中心を給紙ローラが給紙するよう前記第１の原稿ガイド手段が移動可能であるとともに、前記読取り手段は、前記第１の原稿ガイド手段の位置を、原稿の給紙方向に対して直角な方向における片側の端部として読み取ることを特徴とする読取装置。
【請求項２】
前記トレイは、前記給紙ローラの位置を示す給紙ローラ位置表示手段を備えることを特徴とする請求項１記載の読取装置。
【請求項３】
前記読取装置は、原稿の幅を検知する第１の原稿サイズ検知手段と原稿の長さを検知する第２の原稿サイズ検知手段とを備えることを特徴とする請求項１記載の読取装置。
【請求項４】
大きさの異なる原稿を混在させて一度に積載するトレイと、
前記トレイに積載された原稿を給紙する給紙ローラと、
前記給紙ローラにより給紙される原稿を読み取る読取手段と、
給紙方向に対して直角な方向における原稿の端部をガイドする前記トレイに移動可能に設けられた一対の原稿ガイド手段と前記一対の原稿ガイド手段をそれぞれ独立して移動可能とするのか、互いに同期して移動可能とするのかを切り換える原稿ガイド切換手段とを備えることを特徴とする読取装置。
【発明の詳細な説明】
【０００１】
【発明の属する技術分野】
本発明は、原稿画像を読み取るイメージスキャナ等の読取装置等に関するものである。
【０００２】
【従来の技術】
例えばイメージスキャナ等のような読取装置は、原稿が斜行して給紙されないように原稿の両側縁をガイドする原稿ガイドが備えられている。この原稿ガイドは原稿の幅に応じて位置を調節できる一対のガイドを構成しており、該ガイドで、原稿サイズが同じ或いは異なる原稿を安定して保持することで多量に読み取ることができる。
【０００３】
以下、従来の読取装置について図９から図１３を用いて説明する。図９は従来の読取装置を示す概観斜視図（例えば、特許文献１参照）、図１０は、図９の読取装置における給紙装置のトレイから原稿の搬送路及び排紙トレイまでの概略図、図１１は、図１０の給紙装置が有するトレイの原稿ガイド同期移動を示す裏面図、図１２は、図１１のトレイの原稿ガイド同期移動の分解斜視図、図１３は、図１の読取装置のトレイに大きさの異なる原稿を積載した状態を示す上面図である。
【０００４】
図９において、読取装置１００は、前面に操作パネル１００ａと、原稿を案内する給紙部２００と、給紙部２００により案内された原稿を給紙する給紙装置３００（図１０に図示）と、給紙装置３００により給紙された原稿を読取る読取り部４００（図１０に図示）と、読取り部４００により読取られた原稿を排出する排紙トレイ５００とから構成されている。
【０００５】
さらに上述の給紙部２００は読取られる原稿が積載されるトレイ２０２と、そのトレイ２０２上に積載する原稿の両側縁を案内する一対の可変ガイド２０１ａ、２０１ｂとを有しており、この一対の可変ガイド２０１ａ、２０１ｂはトレイ２０２上に対して原稿の幅方向（矢印Ａ方向及びＢ方向）に互いに同期して移動可能に設けられている。
【０００６】
図１０において、給紙装置３００には積載された原稿Ｐの一番上のものを摩擦力によって繰り出すための給紙ローラ３０３と、原稿Ｐの重送防止機構として分離ローラ３０４とリタードローラ３０５及びその他の部材が備えられる。ここで、給紙ローラ３０３及び分離ローラ３０４が回転駆動されると、トレイ２０２上に積載された最上層の用紙Ｐが給紙ローラ３０３によって繰り出され分離ローラ３０４リタードローラ３０５により最上１枚のみに分離され、画像読取部４００へ送り込まれる。その後、画像読取部４００にて画像読取りが行われた原稿Ｐは排紙トレイ５００へ排出される。
【０００７】
以上のように、一般的な読取装置においては、積載されている原稿Ｐを上から一枚ずつ繰り出すというもので、トレイ２０２上に原稿Ｐのサイズに応じて移動可能な一対の可変ガイドが設けられ、積載された原稿をガイドすることにより、給紙時に原稿が斜行することなく真っ直ぐに給送されるようになっている。
【０００８】
ここで、図１１を用いて従来の読取装置に備えられる給紙部２００について更に詳細に説明する。上述したように、給紙部２００が有するトレイ２０２上面には、搭載する原稿Ｐのサイズに応じてトレイ２０２の幅方向に互いに同期して動かせる一対のガイド２０１ａ、２０１ｂが設けられる。そして、これら一対のガイド２０１ａと２０１ｂを互いに同期して動かすために、トレイ２０２の下面には、ピニオン２０３およびガイド２０１ａと２０１ｂとそれぞれに連結したラック２０４、２０５を備える。このピニオン２０３はトレイ２０２の幅方向のほぼ中央の下面に回転自在に保持され、このピニオン２０３に噛み合うラック２０４、２０５は、トレイ２０２の底面に設けた摺動溝２０６に沿って摺動する。図１２に示すようにラック２０４，２０５は歯列２０４ａ，２０５ｂが互いに対向する関係として配置され、それぞれの一端にはトレイ２０２の摺動溝２０６（図１１に図示）を通しガイド２０１ａ、２０１ｂのそれぞれと一体に連結されている。従って、たとえば、一方のガイド２０１ａを横にずらすとピニオン２０３が回転し、この回転により他方のガイド２０１ｂが連動して移動する。そして、これらのガイド２０１ａ，２０１ｂの動きの向きは、互いに離れるかまた接近する方向のいずれかである。
【０００９】
ここで図１３は、上述のようなガイド機構の給紙部２００において、大きさの異なる原稿Ｐ１、Ｐ２を積載した場合で、図示するように、給紙部２００が有するトレイ２０２上に、小さい原稿Ｐ１と大きい原稿Ｐ２を積載し、その積載された原稿Ｐ１、Ｐ２のうち原稿幅の大きい原稿Ｐ２の両側縁をガイド２０１ａと２０１ｂがガイドしている。このように、通常、大きさの異なる原稿Ｐ１、Ｐ２を一度に読み取る際には、原稿給紙時において、出来るだけ原稿の斜行を避ける為に、一番小さい原稿Ｐ１を中央に載置し、この原稿Ｐ１の中央に給紙ローラ３０３が位置するようにしていた。
【００１０】
【特許文献１】
特開平１０−２１４３２３号公報（第３頁、第１図）
【００１１】
【発明が解決しようとする課題】
しかしながら、上述のように、従来の読取装置では、読取装置のトレイ２０２に設けられる一対のガイド２０１ａ，２０１ｂは、小さい原稿Ｐ１、Ｐ２の幅方向（用紙搬送方向に直行する方向の大きさ）へ互いに同期して移動可能となっているので、原稿幅に差があるような伝票等を含むサイズ混載原稿を読み取る場合には、小さい原稿Ｐ１、大きい原稿Ｐ２の読取り基準位置（給紙ローラ３０３が読取り原稿の中心に位置する）が、一対の原稿ガイド２０１ａ，２０１ｂによって最も大きい原稿Ｐ２の幅の中央に設定されるため、一対の原稿ガイド２０１ａ，２０１ｂにガイドされない幅の小さい原稿Ｐ１を大きい原稿Ｐ２の中央に揃えてトレイ２０２に積載しなければならず、給紙時に小さい原稿Ｐ１が斜行して給紙され、画像読取が適正に行われてなくなってしまい、大きい原稿Ｐ２の中央から極端に外れて積載された場合、給紙ローラ３０３と当接せずに給紙されないという問題があった。
【００１２】
本発明は、従来の読取装置に備えられた給紙トレイの上述の問題を解決し、用紙幅が異なるサイズ混載原稿を読み取る場合においても良好に案内して原稿が斜行することのないガイドを備えた読取装置を提供することを目的とする。
【００１３】
【課題を解決するための手段】
この問題を解決するために、本発明の読取装置は、大きさの異なる原稿を混在させて一度に積載するトレイと、トレイに積載された原稿を給紙する給紙ローラと、給紙ローラにより給紙される原稿を読取る読取手段と、給紙方向に対して直角な方向において揃えられた原稿の端部をガイドするトレイに移動可能に設けられた第１の原稿ガイド手段と、第１の原稿ガイド手段とは独立して移動するとともに、大きさの異なる原稿のうちの一番大きい原稿の前記端部とは反対側の端部をガイドする前記トレイに移動可能に設けられた第２の原稿ガイド手段とを備え、給紙ローラは、読取る原稿のうち一番小さい原稿の中心を前記ローラが給紙するよう給紙方向に対して直角な方向に移動可能であると共に、記読取り手段は、前記第１の原稿ガイド手段の位置を、原稿の給紙方向に対して直角な方向における片側の端部として読み取ることで解決される。
【００１４】
【発明の実施の形態】
本発明の請求項１記載の発明は、大きさの異なる原稿を混在させて一度に積載するトレイと、トレイに積載された原稿を給紙する給紙ローラと、給紙ローラにより給紙される原稿を読取る読取手段と、給紙方向に対して直角な方向において揃えられた原稿の端部をガイドするトレイに移動可能に設けられた第１の原稿ガイド手段と、第１の原稿ガイド手段とは独立して移動するとともに、大きさの異なる原稿のうちの一番大きい原稿の端部とは反対側の端部をガイドするトレイに移動可能に設けられた第２の原稿ガイド手段とを備え、原稿を読取る際に、該原稿のうち一番小さい原稿の中心を給紙ローラが給紙するよう第１の原稿ガイド手段が移動可能であるとともに、読取り手段は、第１の原稿ガイド手段の位置を、原稿の給紙方向に対して直角な方向における片側の端部として読み取るので、給紙時に小さい原稿が斜行することなく適正に原稿読取りができるという作用を有する。
【００１５】
本発明の請求項２記載の発明は、請求項１記載において、トレイは、給紙ローラの位置を示す給紙ローラ位置表示手段を備えているので、原稿を積載する際に一番小さい原稿の中央部に給紙ローラが位置するよう簡単に原稿を積載できるという作用を有する。
【００１６】
本発明の請求項３記載の発明は、請求項１記載において、読取装置は更に、原稿の幅を検知する第１の原稿サイズ検知手段と原稿の長さを検知する第２の原稿サイズ検知手段とを備えているので、原稿の大きさに応じて適正に読取りができるという作用を有する。
【００１７】
本発明の請求項４記載の発明は、大きさの異なる原稿を混在させて一度に積載するトレイと、トレイに積載された原稿を給紙する給紙ローラと、給紙ローラにより給紙される原稿を読み取る読取手段と、給紙方向に対して直角な方向における原稿の端部をガイドする前記トレイに移動可能に設けられた一対の原稿ガイド手段と前記一対の原稿ガイド手段をそれぞれ独立して移動可能とするのか、互いに同期して移動可能とするのかを切り換える原稿ガイド切換手段とを備えているので、大きさの異なる原稿を一度に読取る場合と同じ大きさの原稿を読取る場合とに応じて、原稿ガイドのガイド方法を適宜に変更できるという作用を有する。
【００１８】
以下、図面に従って、本発明の実施の形態を説明する。
【００１９】
なお、以下の実施例は、いずれも読取装置における原稿供給に本発明を適用させたものであるが、本発明はこの場合に限らず、複写機等における原稿の供給や、プリンタや印刷機等における記録紙の供給にも適用可能である。
【００２０】
本発明の実施の形態について、図１から図８を用いて説明する。なお、これらの図面において同一の部材には同一の符号を付しており、また重複した説明は省略されている。
【００２１】
図１（ａ）は本発明の一実施の形態における読取装置を示す説明図、図１（ｂ）は図１の読取装置の搬送路上における原稿サイズ検知手段の位置を示す概略図、図２（ａ）は図１の読取装置における給紙部を示す拡大斜視図、図２（ｂ）は図１の読取装置における給紙部が有する原稿ガイド手段を示す拡大図、図３は図２の原稿ガイド手段における原稿ガイド切換手段が取り付けられた状態を示す説明図、図４（ａ）は図２の給紙部が有する原稿ガイド手段と原稿ガイド切換手段とを示す断面図，図４（ｂ）は図２の給紙部が有する原稿ガイド手段と原稿サイズ切換手段とを動作させる機構部を裏面から見た説明図、図５は図１の読取装置において、同サイズの原稿を読取る時の説明図、図６は図１の読取装置において、大きさの異なる原稿を読取る時の説明図、図７（ａ）は図２の給紙部が備える他の原稿ガイド切換手段を示す斜視図、図７（ｂ）は図２の給紙部が備える他の原稿ガイド手段を示す機構説明図、図８（ａ）は図２の給紙部が備える他の原稿ガイド切換手段を示す断明図、図８（ｂ）は、図２の給紙部が備える他の原稿ガイド切換手段を示す動作説明図である。
【００２２】
まず、図１（ａ）と（ｂ）を用いて、本発明の一実施の形態における原稿供給装置を備えた読取装置の全体について概説する。図示するように、この読取装置には、原稿供給装置Ａが設けられている。
【００２３】
原稿給紙装置Ａは、１から１０００枚程度の原稿２が積載されるトレイ１を有する。トレイ１は、駆動源としてのモータ３と、後述する駆動機構とからなる昇降手段により昇降する。
【００２４】
ここで、トレイ１は、原稿２が最大積載されたときに、実線で示す下限位置Ｓ１にあり、トレイ１の前縁１ａが下、後縁１ｂが上をそれぞれ向くように、傾斜した姿勢をとる。
【００２５】
また、トレイ１は下限位置Ｓ１から上向きに揺動し、切替位置Ｓ２にて水平になる。そして、切替位置Ｓ２から上限位置Ｓ３まで水平に上昇する。
【００２６】
ここで、トレイ１は、常に、最上段の原稿２が一定レベル（給紙ローラ４に接するレベル）にあるように、昇降するものであり、下限位置Ｓ１から切替位置Ｓ２、切替位置Ｓ２から上限位置Ｓ３に上昇するにつれ、トレイ１上の原稿２が次々に給紙されて、トレイ１上の原稿２の量が減っていくようになっている。
【００２７】
下限位置センサ５は、トレイ１が下限位置Ｓ１にあるかどうかを検知し、切替位置センサ６はトレイ１が切替位置Ｓ２にあるかどうかを検知する。
【００２８】
また、トレイ高さセンサ７は、トレイ１のうち、原稿２が積載されていない箇所に光を当て、その反射光を入射してトレイ１の高さを検知する。
【００２９】
給紙手段としての給紙ローラ４は、矢印Ｎ１方向に回転し、矢印Ｍ方向に最上段の原稿２を給紙する。給紙ローラ４の近傍には、軸支部９によってその中程の角部が枢支される検出子８が、揺動自在に支持されている。そして、検出子８の下端部８ａは、最上段の原稿２に接触するようになっており、原稿有無センサ１０は、検出子８の上端部８ｂを検知できたかどうか出力している。
【００３０】
ここで、トレイ１の上に１枚でも原稿２があれば、原稿２が下端部８ａに接触して、検出子８が軸支部９を中心にして揺動する。このため、上端部８ｂは、原稿有無センサ１０に検知されない。
【００３１】
逆に、トレイ１の上に原稿２が全く無いと、検出子８は揺動せず、原稿有無センサ１０は上端部８ｂを検知する。即ち、原稿有無センサ１０は、上端部８ｂを監視することにより、トレイ１に原稿２が１枚でもあるかどうか検出している。
【００３２】
次に、図１（ｂ）を用いて、原稿サイズ検知手段について説明する。この原稿サイズ検知手段４０は、搬送された原稿２の大きさを検出するために搬送方向に対して直角な方向に複数個並列して原稿搬送路上に設けられる。これにより、原稿サイズ検知手段４０は、給紙ローラ４により給紙され分離ローラ１２によって搬送された原稿２の搬送方向に対して直角な原稿の長さ、即ち原稿幅を検知し、搬送された原稿の前後を読取ることで原稿２の搬送方向に対して平行な原稿の長さ、即ち原稿長さを検知する。これにより、複数枚の大きさの異なる原稿を読取る場合においても搬送される原稿に対して１枚ごとの原稿サイズを検知することができる。
【００３３】
次に画像読取装置について説明する。給紙ローラ４の原稿搬送方向下流には、原稿２の搬送方向Ｍに正転する分離ローラ１２と逆転するリタードローラ１１とが設けられ、さらに、搬送方向Ｍに沿って、搬送ローラ１４、１５、１６が設けられている。
【００３４】
分離ローラ１２、リタードローラ１１は、給紙モータ１３に駆動されて回転し、搬送ローラ１４、１５、１６は、搬送モータ１７によって回転する。
【００３５】
搬送方向Ｍに向かって搬送される原稿２の表面は第１読取部１８で読取られ、裏面は、第２読取部１９で読取られる。そして、これらの読取部が出力する画像信号は、読取制御部で２０でデジタル化される。また、給紙モータ１３、搬送モータ１７は、モータ制御部２１によって駆動される。そして、以上の各要素は、ＣＰＵ及びＲＡＭを備えた主制御部２２によって制御されており、読取制御部２０が出力するデジタルの画像情報は、主制御部２２で処理される。
【００３６】
次に、本発明の一実施の形態における原稿ガイド手段について説明する。図２（ａ）において、本発明の読取装置が備える給紙部２３には、複数枚のサイズ混載原稿を積載する原稿積載台即ちトレイ１と、そのトレイ１に積載する原稿の両側縁をそれぞれガイドする原稿ガイド手段を有する。この原稿ガイド手段は、読取る原稿の両側縁の内の何れか一方をガイドする第１の原稿ガイド手段２４ａと他方の縁をガイドする第２の原稿ガイド手段２４ｂとを備え、原稿の幅方向（給紙方向における直角な方向）において、任意に第１の原稿ガイド手段２４ａ及び第２の原稿ガイド手段２４ｂの位置を互いに同期に或いは、左右独立で移動させることの可能な一対の可変ガイドとして構成されている。
【００３７】
また、トレイ１上には、給紙ローラ４（図２（ｂ）に図示）が配置されている位置を示す給紙ローラ位置表示手段２５ａ、また、給紙ローラ部にも給紙ローラ表示手段２５ｂが設けられており、大きさの異なる原稿をトレイ１上に積載する際には、一番小さい原稿の中央部に給紙ローラ４が位置するように給紙ローラ位置指示手段２５ａ叉は２５ｂに沿って原稿を積載する。
【００３８】
図２（ｂ）に示すように、第２の原稿ガイド手段２４ｂの外側の側面には、第１の原稿ガイド手段２４ａ及び第２の原稿ガイド手段２４ｂの動作設定を共動可動又は、左右独立可動へ切り換える原稿ガイド切換手段２６を備えている。
【００３９】
ここで、図３を用いて、原稿ガイド切換手段２６についてさらに詳細に説明する。この原稿ガイド切換手段２６は長方形状で矩形に形成されている。またこの原稿ガイド切換手段２６には、長手方向側面の中央部に突起部２６ａが形成され、原稿ガイド手段２４ｂにはこの突起部２６ａを受ける軸受け穴２６ｂが形成される。この突起部２６ａは、第２の原稿ガイド手段２４ｂに形成された軸受け穴２６ｂに所定の角度に動くように取り付けられる。この原稿ガイド手段２４ｂには凹部２６ｃが形成され、原稿ガイド切換手段２６の凹部２６ｃにはバネ２７が設けられており、軸受け穴２６ｂにはめ込まれた突起部２６ａを軸にして原稿ガイド切換手段２６が第２の原稿ガイド手段２４ｂに対して前後に動くように取り付けられる。
【００４０】
なお、本発明の一実施の形態においては、この原稿ガイド切換手段２６は、第２の原稿ガイド手段２４ｂに設けられているが、第１の原稿ガイド手段２４ａに設けてもよい。また、原稿ガイド切換手段２６は、第１の原稿ガイド手段２４ａの内側側面と外側側面及び第２の原稿ガイド手段２４ｂの内側側面に設けても良い。
【００４１】
ここで、図４（ａ），（ｂ）を用いて、原稿ガイド切換手段２６及びトレイ１の機構および動作説明を行う。先に述べたように原稿ガイド切換手段２６は、第２の原稿ガイド手段２４ｂに取り付けられ、バネ２７によって第２の原稿ガイド手段２４ｂに対して、通常は矢印Ａ方向とは反対の方向へ付勢されており、ユーザー等の押圧によりＡ方向に動く。この第２の原稿ガイド手段２４ｂは、ビス２８によってトレイ１上に可動可能に固定されている。トレイ１の下面には、第１の原稿ガイド手段２４ａ及び第２の原稿ガイド手段２４ｂとを動かすためのピニオン３０と、第１の原稿ガイド手段２４ａ及び第２の原稿ガイド手段２４ｂのそれぞれに一体に連結されたラック２９ａとラック２９ｂとを備える。このピニオン３０はトレイ１の幅方向のほぼ中央の下面に回転自在に保持され、このピニオン３０に噛み合うラック２９ａ、ラック２９ｂは、トレイ１の底面に原稿２の搬送方向とは直角な方向に設けられた摺動溝（図示せず）に沿って摺動するものである。
【００４２】
また、図４（ｂ）に示すように、ラック２９ｂの端部には２つのスライド溝３１が形成され、スライド溝３１に第２の原稿ガイド手段２４ｂと一体になったボス２８が挿入され、ラック２９ｂと有間支持されるようにビス３２によって締結されてる。また、上側スライド溝３１の横には、レバー孔３３が形成されており原稿ガイド切換手段２６の下方先端部２６ｄが常時、レバー孔３３に挿入されている状態となっている。
【００４３】
次に、原稿ガイド切換手段２６及びトレイ１の動作説明を行う。まず、原稿ガイド切換手段２６を摘み矢印Ａ方向に押圧すると、原稿ガイド切換手段２６が矩形に折れ曲がっているので、トレイ１下面に設けられたラック２９ｂのレバー孔３３を貫通している原稿ガイド切換手段２６の下方先端部２６ｄが矢印Ｂ方向へ動く。そして、ラック２９ｂが有するスライド孔３１に沿ってラック２９ｂは矢印Ｃ方向へ動くことにより、ピニオン３０とラック２９ｂの歯面同士の噛み合いが解除される。これにより、第１の原稿ガイド手段と第２の原稿ガイド手段２４ｂの動作設定が共動可動から左右独立可動へ切り換わり、種々の原稿サイズに応じて自由に第１の原稿ガイド手段２４ａと第２の原稿ガイド手段２４ｂの位置決めが可能となる。
【００４４】
ここで、本発明の一実施の形態による原稿ガイド手段２４ａ，２４ｂの使用説明をする。通常は、第１の原稿ガイド手段２４ａ及び第２の原稿ガイド手段２４ｂの動作設定は共動可動に設定されている。
【００４５】
図５に示すように、例えば、同サイズの原稿を読取る場合には、まず、トレイ１上の第１の原稿ガイド手段２４ａと第２の原稿ガイド手段２４ｂとの間に大きい原稿Ｐ２セットし、大きい原稿Ｐ２の両側縁を適正にガイドできるよう第１の原稿ガイド手段２４ａ及び第２の原稿ガイド手段２４ｂを位置調整する。これにより、大きい原稿Ｐ２をピックアップする給紙ローラ４が大きい原稿Ｐ２の中央に位置するようセットされ、大きい原稿Ｐ２を良好に案内して第一読取部１８と第二読取部１９ヘ送り込むことができる。
【００４６】
次に、複数枚のサイズ混載原稿を読み取る場合について説明する。図４を用いて先に述べたように、第１の原稿ガイド手段２４ａと第２の原稿ガイド手段２４ｂに設けられる原稿ガイド切換手段２６を摘むと原稿ガイド切換手段２６が矢印Ａ方向に動く。これにより、第１の原稿ガイド手段２４ａ及び第２の原稿ガイド手段２４ｂの動作設定が左右独立可動へ切り換わる。
【００４７】
次に、図６に示すように小さい原稿Ｐ１と大きい原稿Ｐ２の左側縁及び給紙方向先端部縁を揃えた後、第１の原稿ガイド手段２４ａと第２の原稿ガイド手段２４ｂとの間にサイズ混載原稿Ｐ１とＰ２をセットする。この時、左側縁の揃えた側が第１の原稿ガイド手段２４ａに当接し、端部がガイドされることとなる。ここで、最も小さい原稿Ｐ１の中央に給紙ローラ４が位置するよう第１の原稿ガイド手段２４ａと第２の原稿ガイド手段２４ｂを位置調整する。これにより、最もサイズの小さい原稿Ｐ１の中央に給紙ローラ４が位置してセットされるので、大きさの異なる原稿、つまり、小さい原稿Ｐ１と大きい原稿Ｐ２の２つの原稿を同時に、適正に保持することができるので、小さい原稿Ｐ１及び大きい原稿Ｐ２を良好に案内し、第１読取部１８及び第２読取部１９ヘ送り込むことができる。その結果、原稿が斜行することなく良好に画像の読取りが行える。また、複数の大きさの異なる小さい原稿ばかりを読取る際には、トレイ１上に設けられた給紙ローラ位置表示手段２５ａ又は２５ｂ（図２に図示）に従って原稿の中央部に給紙ローラ４が位置するよう原稿をセットすることも可能である。
【００４８】
図７（ａ）、（ｂ）は、本発明の更に他の実施の形態を示すものであり、この実施の形態では、トレイ１に解除ボタン３６が設けられている。
【００４９】
先に述べたように、図７（ａ）において、トレイ１のほぼ中央部には、第１の原稿ガイド手段２４ａと第２の原稿ガイド手段２４ｂの動作設定を共動可動から左右独立可動へ切換える解除ボタン３６が設けられている。この解除ボタン３６は、図７（ｂ）に示すように、ピ二オン３５に取り付けられ、真上から指等で押さえることにより第１の原稿ガイド手段２４ａと第２の原稿ガイド手段２４ｂの動作設定が共動可動から左右独立可動へ切換えることができる。
【００５０】
次に、図８（ａ）、（ｂ）を用いて、更に詳しく解除ボタン３６の機構と動作説明をする。
【００５１】
図示するように、解除ボタン３６は、第１の原稿ガイド手段２４ａと第２の原稿ガイド手段２４ｂとを連動させるためにトレイ１の幅方向のほぼ中央の下面に回転自在に支持されるピ二オン３５に、ビス３４よって固定して取り付けられる。この解除ボタン３６は、断面Ｔ字形状をしており、解除ボタン３６の下方周囲にはバネ３７が巻きつけられ、解除ボタン３６を矢印Ａとは反対の方向へ付勢している。
【００５２】
次に解除ボタンの動作説明をする。第１の原稿ガイド手段２４ａと第２の原稿ガイド手段２４ｂの動作設定を共動可動から左右独立可動へ切り換えを行う場合、図８（ｂ）に示すように、解除ボタン３６を矢印Ａ方向に押す。その結果、ネジ３４により固定される解除ボタン３６とピ二オン３５が下方へ動くため、解除ボタン３６に固定して取付けられるピ二オン３５の歯面とラック２９ｂの歯面との噛み合いが外れることにより、第１の原稿ガイド手段２４ａと第２の原稿ガイド手段２４ｂの動作設定が共動可動から左右独立可動へ切り換る。ここで、押された解除ボタン３６は、該解除ボタン３６に巻きつけられたバネ３７の反動により元の位置に戻るように構成されている。
【００５３】
また、上記本発明の実施の形態により第１及び第２の原稿ガイド手段を共動可動から左右独立可動へ切り換えた場合、動作設定を再び共動可動へ戻す時は、図７の解除ボタン３６を指等で押さえたまま、第１の原稿ガイド手段２４ａと第２の原稿ガイド手段２４ｂを両端へ広げて解除ボタンを離すとラック２９ａ及びラック２９ｂの歯とピ二オン３５の歯が噛み合って共動へ戻る。
【００５４】
上記本発明の実施の形態において、多くの原稿は、文面の印刷内容等が左基準で書かれている場合が多いため、第１の原稿ガイド手段２４ａと第２の原稿ガイド手段２４ｂを用いてサイズ混載原稿の読取り基準を左端部として読取りを行う例を示したが、読取り方法はこれに限らず適宜変更可能であり、読取り基準を右端部として原稿の読取りを行っても良い。
【００５５】
【発明の効果】
以上のように、本発明によれば、大きさの異なる原稿を混在させて一度に積載するトレイと、前記トレイに積載された原稿を給紙する給紙ローラと、前記給紙ローラにより給紙される原稿を読取る読取手段と、給紙方向に対して直角な方向において揃えられた原稿の端部をガイドする前記トレイに移動可能に設けられた第１の原稿ガイド手段と、前記第１の原稿ガイド手段とは独立して移動するとともに、大きさの異なる原稿のうちの一番大きい原稿の前記端部とは反対側の端部をガイドする前記トレイに移動可能に設けられた第２の原稿ガイド手段とを備え、前記原稿を読取る際に、該原稿のうち一番小さい原稿の中心を給紙ローラが給紙するよう前記第１の原稿ガイド手段が移動可能であるとともに、前記読取り手段は、前記第１の原稿ガイド手段の位置を、原稿の給紙方向に対して直角な方向における片側の端部として読み取ることを特徴とする読取装置であって、原稿ガイドの位置決め設定を左右独立で可動可能としたので、大きさの異なる原稿を混在して積載した場合においても原稿を適正にガイドでき、画像読取りが良好に行えるという作用を有する。
【図面の簡単な説明】
【図１】（ａ）本発明の一実施の形態における読取装置を示す説明図
（ｂ）図１の読取装置の搬送路上における原稿サイズ検知手段の位置を示す概略図
【図２】（ａ）図１の読取装置おける給紙部を示す拡大斜視図
（ｂ）図１の読取装置における給紙部が有する原稿ガイド手段を示す拡大図
【図３】図２の原稿ガイド手段における原稿ガイド切換手段が取り付けられた状態を示す説明図
【図４】（ａ）図２の給紙部が有する原稿ガイド手段と原稿ガイド切換手段とを示す断面図
（ｂ）図２の給紙部が有する原稿ガイド手段と原稿ガイド切換手段とを動作させる機構部を裏面から見た説明図
【図５】図１の読取装置において、同サイズの原稿を読取る時の説明図
【図６】図１の読取装置において、大きさの異なる原稿を読取る時の説明図
【図７】（ａ）図２の給紙部が備える他の原稿ガイド切換手段を示す斜視図
（ｂ）図２の給紙部が備える他の原稿ガイド切換手段を示す機構説明図
【図８】（ａ）図２の給紙部が備える他の原稿ガイド切換手段を示す断面図
（ｂ）図２の給紙部が備える他の原稿ガイド切換手段を示す動作説明図
【図９】従来の読取装置を示す概観斜視図
【図１０】図９の読取装置における給紙装置のトレイから原稿の搬送路及び排紙トレイまでの概略図
【図１１】図１０の給紙装置が有するトレイの原稿ガイド同期移動を示す裏面図
【図１２】図１１のトレイの原稿ガイド同期移動の分解斜視図
【図１３】図１の読取装置のトレイに大きさの異なる原稿を積載した状態を示す上面図
【符号の説明】
１  トレイ
２  原稿
４  給紙ローラ
１８  第１読取部
１９  第２読取部
２３  給紙部
２４ａ  第１の原稿ガイド手段
２４ｂ  第２の原稿ガイド手段
２５ａ，２５ｂ  給紙ローラ位置表示手段
２６  原稿ガイド切換手段
２６ａ  突起部
２６ｂ  軸受け穴
２６ｃ  凹部
２７  バネ
２８  ボス
２９ａ  ラック
２９ｂ  ラック
３０  ピ二オン
３１  スライド溝
３２  ビス
３３  レバー孔
Ｐ１  小さい原稿
Ｐ２  大きい原稿
【図１】
2004155528.tif 000003
【図２】
2004155528.tif 000004
【図３】
2004155528.tif 000005
【図４】
2004155528.tif 000006
【図５】
2004155528.tif 000007
【図６】
2004155528.tif 000008
【図７】
2004155528.tif 000009
【図８】
2004155528.tif 000010
【図９】
2004155528.tif 000011
【図１０】
2004155528.tif 000012
【図１１】
2004155528.tif 000013
【図１２】
2004155528.tif 000014
【図１３】
2004155528.tif 000015